(57)【要約】【課題】複数のカードを多段配置に接続可能であって、小型化・低背化が可能なカードコネクタの提供。【解決手段】複数のカード挿入部２，３を多段配置に有するハウジング４と、各カード挿入部２，３に挿入されたカードＡ，Ｂの信号伝達端子と接触する複数のコンタクト５，５...、６，６...とを備え、複数のカードを互いに平行配置に接続可能なカードコネクタであって、ハウジング４は、下段のカード挿入部２を構成する下段底板部１４及び下段底板部１４上に間隔を置いた平行配置に上段のカード挿入部３を構成する上段底板部３０を有する絶縁性合成樹脂製のモールドケース７と、上段底板部３０下に挿入され、上段底板部３０の下面を支持する支持板部５１を有する金属製の下段カバー部材８とを備えた。【選択図】図４
2014007095.tif 000002
【特許請求の範囲】
【請求項１】
カードが挿入される複数のカード挿入部を多段配置に有するハウジングと、前記各カード挿入部の底部より突出し、各カード挿入部に挿入されたカードの信号伝達端子と接触する複数のコンタクトとを備え、前記複数のカードを互いに平行配置に接続可能なカードコネクタであって、
前記ハウジングは、下段のカード挿入部を構成する下段底板部及び該下段底板部上に間隔を置いた平行配置に上段のカード挿入部を構成する上段底板部を有する絶縁性合成樹脂製のモールドケースと、
前記上段底板部下に挿入され、前記上段底板部の下面を支持する支持板部を有する金属製の下段カバー部材とを備えたことを特徴としてなるカードコネクタ。
【請求項２】
前記ハウジングは、前記モールドケースの上面部を覆う天板を有する上段カバー部材を備えてなる請求項１に記載のカードコネクタ。
【請求項３】
前記下段カバー部材及び／又は上段カバー部材は、配線基板に形成された接地パターンに接続される接続片部を備えた請求項１又は２に記載のカードコネクタ。
【請求項４】
前記下段カバー部材は、前記支持板部のカード挿入方向手前側部に前記上段底板部の手前側縁部と係合する係合片を一体に備えてなる請求項１、２又は３に記載のカードコネクタ。
【請求項５】
前記下段カード挿入部の両内側面部に、前記支持板部の両側縁部が挿入されるカード挿抜方向に向けた挿入溝を備えてなる請求項１〜３又は４に記載のカードコネクタ。
【請求項６】
前記下段カバー部材及び／又は上段カバー部材は、前記支持板部及び／又は天板のカード挿入方向奥側縁より下向きに折り曲げた形状のストッパー部を備え、該ストッパー部に挿入されたカードの奥側縁が当て止めされるようにしてなる請求項１〜４又は５に記載のカードコネクタ。
【請求項７】
前記ストッパー部は、下縁が前記上段底板部の上面又は下段底板部の上面に当接又は隙間を介して接するように形成されてなる請求項６に記載のカードコネクタ。
【発明の詳細な説明】
【技術分野】
【０００１】
本発明は、複数のカードを同時に接続可能なカードコネクタに関する。
【背景技術】
【０００２】
従来、携帯電話機やデジタルカメラ等の電子機器においては、複数枚のカード、例えば、ＩＣカードとフラッシュメモリーカードとを外部記憶媒体として使用するものが知られており、このような２枚のカードを同時に電子機器内のプリント配線基板に接続するカードコネクタとして所謂２スロット式のカードコネクタが使用されている。
【０００３】
この２スロット式のカードコネクタは、カードが挿入されるカード挿入部を上下２段且つカード挿入方向にずらした配置に有するハウジングと、各カード挿入部の底面部より突出して各カード挿入部に挿入されたカードの信号伝達端子と接触する各コンタクトとを備え、同時に２枚のカードをプリント配線基板に接続させることができるようになっている（例えば、特許文献１を参照）。
【０００４】
ハウジングは、絶縁性合成樹脂材からなるモールドケースと、導電性金属板材からなるカバー部材とを組み合せることにより形成され、モールドケースの上面部に開口した二つの凹部をカード挿入方向に向けて階段状に形成することによりカード挿入部が上下２段且つカード挿入方向にずらした配置に備えられている。
【０００５】
挿入されたカードは、各凹部のカード挿入方向奥側内側面に当て止めされることにより位置決めされ、カードの信号伝達端子がカード挿入部内で対応するコンタクトと接触するようになっている。
【先行技術文献】
【特許文献】
【０００６】
【特許文献１】特開２００８−２０４８４７号公報
【発明の概要】
【発明が解決しようとする課題】
【０００７】
しかしながら、上述の如き従来の技術では、各コンタクトをモールドケースに保持させるために各カード挿入部の底部を構成する底板部に一定の厚みを必要とするため、カード挿入部をモールドケースの上面に開口した二つの凹部をカード挿入方向に向けて階段状に形成し、上下２段且つカード挿入方向にずらした配置に形成する構造を取らざるを得ず、そのため、カードコネクタのカード挿入方向の寸法が大きくなり、コネクタ全体の小型化を阻害する要因となっていた。
【０００８】
また、各カードをモールドケースに形成された凹部の内側面に当て止めさせることにより位置決めする構造であるため、強度を確保するために当て止めされる部分のモールドケースの肉厚を厚くせざるを得ずその分、カード挿入方向の寸法が大きくなり小型化を阻害する要因となっていた。
【０００９】
本発明は、このような従来の問題に鑑み、複数のカードを多段配置に接続可能であって、小型化・低背化が可能なカードコネクタの提供を目的としてなされたものである。
【課題を解決するための手段】
【００１０】
上述の如き従来の問題を解決し、所期の目的を達成するための請求項1に記載の発明の特徴は、カードが挿入される複数のカード挿入部を多段配置に有するハウジングと、前記各カード挿入部の底部より突出し、各カード挿入部に挿入されたカードの信号伝達端子と接触する複数のコンタクトとを備え、前記複数のカードを互いに平行配置に接続可能なカードコネクタであって、前記ハウジングは、下段のカード挿入部を構成する下段底板部及び該下段底板部上に間隔を置いた平行配置に上段のカード挿入部を構成する上段底板部を有する絶縁性合成樹脂製のモールドケースと、前記上段底板部下に挿入され、前記上段底板部の下面を支持する支持板部を有する金属製の下段カバー部材とを備えたことにある。
【００１１】
請求項２に記載の発明の特徴は、請求項１の構成に加え、前記ハウジングは、前記モールドケースの上面部を覆う天板を有する上段カバー部材を備えてなることにある。
【００１２】
請求項３に記載の発明の特徴は、請求項１又は２の構成に加え、前記下段カバー部材及び／又は上段カバー部材は、配線基板に形成された接地パターンに接続される接続片部を備えたことにある。
【００１３】
請求項４に記載の発明の特徴は、請求項１、２又は３の構成に加え、前記下段カバー部材は、前記支持板部のカード挿入方向手前側部に前記上段底板部の手前側縁部と係合する係合片を一体に備えてなることにある。
【００１４】
請求項５に記載の発明の特徴は、請求項１〜３又は４の構成に加え、前記下段カード挿入部の両内側面部に、前記支持板部の両側縁部が挿入されるカード挿抜方向に向けた挿入溝を備えてなることにある。
【００１５】
請求項６に記載の発明の特徴は、請求項１〜４又は５の構成に加え、前記下段カバー部材及び／又は上段カバー部材は、前記支持板部及び／又は天板のカード挿入方向奥側縁より下向きに折り曲げた形状のストッパー部を備え、該ストッパー部に挿入されたカードの奥側縁が当て止めされるようにしてなることにある。
【００１６】
請求項７に記載の発明の特徴は、請求項６の構成に加え、前記ストッパー部は、下縁が前記上段底板部の上面又は下段底板部の上面に当接又は隙間を介して接するように形成されてなることにある。
【発明の効果】
【００１７】
本発明に係るカードコネクタは、上述したように、カードが挿入される複数のカード挿入部を多段配置に有するハウジングと、前記各カード挿入部の底部より突出し、各カード挿入部に挿入されたカードの信号伝達端子と接触する複数のコンタクトとを備え、前記複数のカードを互いに平行配置に接続可能なカードコネクタであって、前記ハウジングは、下段のカード挿入部を構成する下段底板部及び該下段底板部上に間隔を置いた平行配置に上段のカード挿入部を構成する上段底板部を有する絶縁性合成樹脂製のモールドケースと、前記上段底板部下に挿入され、前記上段底板部の下面を支持する支持板部を有する金属製の下段カバー部材とを備えたことにより、上段底板部を薄型化しても十分な剛性を確保することができ、それに伴いカード挿入部を奥側端部位置を揃えた重ね合わせ配置とすることが可能となり、コネクタ全長を短くすることができ、コネクタ全体の小型化及び低背化を図ることができる。
【００１８】
また、本発明において、前記ハウジングは、前記モールドケースの上面部を覆う天板を有する上段カバー部材を備えたことにより、上段のカード挿入部の上面部を覆うことができる。
【００１９】
更に本発明において、前記下段カバー部材及び／又は上段カバー部材は、配線基板に形成された接地パターンに接続される接続片部を備えたことにより、上段のカード挿入部と下段のカード挿入部との間を好適に遮断し、高いシールド効果を得ることができる。
【００２０】
更にまた、本発明において、前記下段カバー部材は、前記支持板部のカード挿入方向手前側部に前記上段底板部の手前側縁部と係合する係合片を一体に備えてなることにより、支持板部と上段底板部とを一体化させることができ、高い剛性を得ることができる。
【００２１】
更にまた、本発明において、前記下段カード挿入部の両内側面部に、前記支持板部の両側縁部が挿入されるカード挿抜方向に向けた挿入溝を備えたことにより、支持板部がモールドケースに好適に支持され、高い剛性を得ることができる。
【００２２】
また、本発明において、前記下段カバー部材及び／又は上段カバー部材は、前記支持板部及び／又は天板のカード挿入方向奥側縁より下向きに折り曲げた形状のストッパー部を備え、該ストッパー部に挿入されたカードの奥側縁が当て止めされるようにしてなることにより、カードの奥側縁を当て止めさせる部分を薄く形成でき、コネクタ全長の小型化を図ることができるとともに、支持板部及び天板の撓み方向の剛性を強化することができる。
【００２３】
更にまた、前記ストッパー部は、下縁が前記上段底板部の上面又は下段底板部の上面に当接又は隙間を介して接するように形成されてなることにより、リフローによる熱等で底板部が反るのを抑えることができ、安定したコプラナリティを得ることができる。
【図面の簡単な説明】
【００２４】
【図１】本発明に係るカードコネクタの一例を示す斜視図である。
【図２】同上の背面下側より見た斜視図である。
【図３】同上の分解斜視図である。
【図４】同上の拡大縦断面図である。
【図５】接続されるカードの例を示す底面図である。
【図６】図1中のモールドケースを示す斜視図である。
【図７】同上の背面下側より見た斜視図である。
【図８】同上のモールドケースの縦断面図である。
【図９】（ａ）は図１中の下段コンタクトを示す平面図、（ｂ）は同底面図、（ｃ）は同側面図である。
【図１０】（ａ）は図１中の下段コンタクトを示す平面図、（ｂ）は同側面図である。
【図１１】（ａ）は図1中の下段カバー部材を示す斜視図、（ｂ）は同下側から見た斜視図である。
【図１２】（ａ）は図1中の上段側カバー部材を示す斜視図、（ｂ）は同下側から見た斜視図である。
【図１３】本発明に係るカードコネクタの他の実施例を示す斜視図である。
【図１４】同上の部分拡大縦断面図である。
【発明を実施するための形態】
【００２５】
次に、本発明に係るカードコネクタの実施の態様を図１〜図１２に示した実施例に基づいて説明する。尚、図中符号１はカードコネクタ、符号Ａ，Ｂはそれぞれカード全長が同じに形成されたカードである。
【００２６】
このカードコネクタ１は、カードが挿入される複数のカード挿入部２，３を多段配置に有するハウジング４と、各カード挿入部２，３の内底部より突出し、各カード挿入部２，３に挿入されたカードの信号伝達端子と接触する複数のコンタクト５，５...、６，６...とを備え、この各コンタクト５，５...、６，６...を介して複数のカードＡ，Ｂを同時に電気的にプリント配線基板に接続できるようになっている。
【００２７】
一方のカードＡは、例えば、図５（ａ）に示す如き小型のフラッシュメモリーカードであって、カード全幅に比してカード全長が長い矩形状に形成され、カード全長方向の一方の端部に他の部分に比してカード幅の狭い縮幅部Ａａを有し、この縮幅部Ａａが上段のカード挿入部３に挿入されるようになっている。
【００２８】
この縮幅部Ａａは、カード幅方向の一方に片寄せて配置され、この縮幅部Ａａの片面にカード全長方向に向けた複数の信号端子ａ１，ａ１...が互いに平行にカード幅方向に並べて配列されている。
【００２９】
また、この一方のカードＡには、カード全長方向の縮幅部Ａａとは反対側の端部に、信号端子が形成された面とは反対側に盛り上がった形状の拡厚部Ａｂが形成されている。
【００３０】
他方のカードＢは、例えば、図５（ｂ）に示す如きＩＣカードであって、カード全幅に比してカード全長が長い矩形状に形成されている。尚、図中符号Ｂａは矩形状の一方の隅部に斜め方向に切欠いた形状の位置決め部である。
【００３１】
このカードＢの片面には、複数の信号端子ｂ１，ｂ１...をカード幅方向に並べてなる一対の信号端子列がカード全長方向に間隔を置いて並列配置に形成されている。
【００３２】
ハウジング４は、絶縁性合成樹脂材からなるモールドケース７と、導電性金属板材からなる複数のカバー部材８，９とを組み合わせることにより形成され、カードＡが挿入される上段のカード挿入部３と、カードＢが挿入される下段のカード挿入部２とがコネクタ厚み方向の上下２段配置であって、カード挿入方向の奥側端部位置を揃えた配置に備えられている。
【００３３】
モールドケース７は、図６〜図８に示すように、絶縁性合成樹脂材により成形され、それぞれカード挿抜方向両端に開口した凹溝状のカード挿入凹部１０，１１を有する下段部１２及び上段部１３を一体に備え、上段部１３を下段部１２のカード挿入方向奥側の上面部に重ね合わせた形状に形成されている。
【００３４】
下段部１２は、モールドケース７の底部であって下段カード挿入部２の底部を構成する矩形平板状の下段底板部１４と、下段底板部１４の両側縁より鉛直上向きに立ち上げた形状の下段側壁部１５，１５とを備え、下段底板部１４上の両下段側壁部１５，１５間に下段カード挿入凹部１０が形成されている。
【００３５】
この下段底板部１４には、カード用の下段コンタクト５，５...が挿入されるカード挿抜方向に向けた複数の下段コンタクト挿入溝１６，１６...がそれぞれカード挿抜方向の両側に互いに平行配置にコネクタ幅方向に並べて形成されている。
【００３６】
この下段コンタクト挿入溝１６，１６...は、カード挿抜方向の端面に開口した凹溝状に形成され、その両内側面部下端には、後述する圧入片２４，２４及び延出片２３ａ，２３ｂの側部が圧入される圧入溝１７，１７が下段コンタクト挿入溝１６，１６...に沿って形成されている。
【００３７】
下段コンタクト５，５...は、図９に示すように、弾性を有する導電性金属板材を打ち抜き・折り曲げ加工することにより形成され、平板状の基部２０と、基部２０の一端より折り返した配置の弾性接触片部２１と、プリント配線基板に接続端子片部２２とを一体に備えている。
【００３８】
基部２０は、一方の端部に二股状に延出された一対の延出片２３ａ，２３ｂを有する形状に形成され、その延出片２３ａ，２３ｂとは反対側の端部両側縁に外向に張り出した形状の圧入片２４，２４が形成され、この圧入片２４，２４が圧入溝１７，１７の内縁に食い込むことにより下段コンタクト５が下段底板部１４に固定される。
【００３９】
また、基部２０の両側部には、側縁より鉛直上向きに折り曲げた形状の立ち上がり片２５ａと、立ち上がり片２５ａの上縁より水平内向きに折り曲げた形状の規制片２５ｂとからなる変形規制片部２５を備え、弾性接触片部２１の水平部２１ｂが規制片２５ｂ下に配置されて弾性接触片部２１の上向きの変形を規制するようになっている。
【００４０】
弾性接触片部２１は、基部２０の一端より円弧状の折り返し部２１ａを介して基部２０上に水平方向に延出させた形状の水平部２１ｂと、水平部２１ｂの他端側より上側に膨出した円弧状に形成された接点部２１ｃとを備え、接点部２１ｃの頂部が下段コンタクト挿入溝１６の内底面部開口より下段カード挿入部２内に突出し、折り返し部２１ａを基端に押し下げ方向に弾性変形することができるようになっている。
【００４１】
接続端子片部２２は、一方の延出片２３ａの端部を下向きに折り曲げた形状の折り曲げ部２２ａと、折り曲げ部２２ａの下端より水平方向に延出した接続部２２ｂとを備え、接続部２２ｂがハウジング４の下面に露出してプリント配線基板の接続パターンに半田付けされるようになっている。
【００４２】
一方、上段部１３は、モールドケース７の中底部であって上段カード挿入部３の底部を構成する上段底板部３０と、上段底板部３０の両側縁より鉛直上向きに立ち上げた形状の上段側壁部３１，３１とを備え、上段底板部３０上の両上段側壁部３１，３１間に上段カード挿入凹部１１が形成される。
【００４３】
上段底板部３０は、薄型平板状に形成され、そのカード挿抜方向手前側縁部に開口側に向けて傾斜した誘導傾斜部３２が形成されている。
【００４４】
また、上段底板部３０には、カードＡ用の上段コンタクト６，６...が挿入されるカード挿抜方向に向けた複数の上段コンタクト挿入溝３３，３３...が互いに平行配置にコネクタ幅方向に並べて形成されている。
【００４５】
この上段コンタクト挿入溝３３は、カード挿抜方向の奥側端面に開口した凹溝状に形成され、その下端部には、上段コンタクト６，６...の基部２０の外縁部が圧入される圧入穴３４が上段コンタクト挿入溝３３と連通配置に形成されている。
【００４６】
上段コンタクト６，６...は、図１０に示すように、弾性を有する導電性金属板材を打ち抜き・折り曲げ加工することにより形成され、細長矩形状の基部４０と、基部４０より切り起こした形状の弾性接触片部４１と、基部４０の一端より下向きに延出された基板接続端子片部４２とを一体に備えている。
【００４７】
基部４０は、細長矩形板状に形成され、その長手方向に向けて一端側に折り目部を残してコ字状の切れ目を入れ、その部分を切り起こすことにより弾性接触片部４１が形成されている。
【００４８】
弾性接触片部４１は、折り目部より斜め方向に向けて弧状を描く形状に形成され、先端部に上側に膨出した円弧状の接点部４１ａを備え、この弾性接触片部４１の先端側部が上段コンタクト挿入溝３３の上面開口を通して上段カード挿入部３の内底面より突出するようになっている。
【００４９】
基板接続端子片部４２は、基部４０の一端より下向きに折り曲げた形状の下向き片４２ａと、下向き片４２ａの下端より内側、即ち他端側に湾曲した形状の湾曲部４２ｂと、湾曲部４２ｂの下端より水平方向に折り曲げられた形状の接続部４２ｃとを備え、接続部４２ｃがモールドケース７の下面部に露出し、プリント配線基板に形成された接続パターンに半田付けされるようになっている。
【００５０】
上段側壁部３１，３１は、下段側壁部１５，１５より厚い形状に形成され、両上段側壁部３１，３１の外側面は下段側壁部１５，１５の外側面と連続した形状となっている。
【００５１】
また、一方の上段側壁部３１には、カード挿入側の端面にカード挿入方向に向けて傾斜した傾斜部３１ｂが形成され、カード挿入時にカードＡの傾斜部が干渉しないようになっている。
【００５２】
そして、このように構成されたモールドケース７にカード挿抜方向手前側より下段カバー部材８が、奥側より上段カバー部材９がそれぞれ組み込まれるようになっている。
【００５３】
下段カバー部材８は、図１１に示すように、導電性金属板材を打ち抜き、折り曲げ加工することにより形成され、下段部１２の手前側上面及び側面を覆うカバー本体部５０と、上段底板部３０下に挿入される支持板部５１とを一体に備えている。
【００５４】
カバー本体部５０は、平板状の上板５２と、上板５２の側縁より鉛直下向きの折り曲げた形状の側板５３，５３と、側板５３，５３の下縁より水平内向きに折り曲げた形状の接続片部５４，５４とをもって構成され、上板５２と接続片部５４との間に下段部１２の側部を把持するように下段部１２手前側部分の外側に嵌り込むようになっている。
【００５５】
上板５２は、下段部１２の上段部１３より手前側部分の上面、即ち、下段カード挿入凹部１０の露出した部分の上面を覆う形状に形成され、手前側部に円弧状の切欠き部５２ａが形成されている。
【００５６】
また、上板５２には、プレス加工により上向きに膨出した一対のカード支持部５５，５５がコネクタ幅方向に間隔を置いて形成され、上段カード挿入部３へカードＡを挿入する際にこのカード支持部５５，５５の上面部でカードＡの下面を支えるようになっている。
【００５７】
側板５３，５３には、下縁より内向きに折り曲げたＬ字状の抜け出し防止バネ片５６を備え、この抜け出し防止バネ片５６がモールドケース７下面部に形成された溝部１４ａの手前側内側縁と互いに係合することにより下段カバー部材８がモールドケース７に抜け出し不能に固定されるようになっている。
【００５８】
尚、両側板５３，５３のカード挿入方向端面は、モールドケース７側面より突出したストッパー凸部７ａに当て止めされ、それにより下段カバー部材８のカード挿抜方向の位置決めがされるようになっている。
【００５９】
接続片部５４，５４は、モールドケース７下面部の凹み部に嵌り込み、モールドケース７の下面、即ち、ハウジング４の下面に露出し、この接続片部５４，５４をプリント配線基板に形成された接地パターンに半田付けすることによりハウジング４をプリント配線基板に固定できるとともに、下段カバー部材８をグランド接続させることができるようになっている。
【００６０】
支持板部５１は、上板５２のカード挿入方向端部よりカード挿入方向に向けて連続した平板状に形成され、その幅が上板５２の幅より狭く、下段カバー部材８をモールドケース７に組み込むことにより上段底板部３０下に重ね合わせ配置に挿入されるようになっている。
【００６１】
上段底板部３０下に挿入された支持板部５１は、上段底板部３０の下面部と一体化して該上段底板部３０の下面を支持するとともに、上板５２と共に下段カード挿入部２の上側内側面部を構成するようになっている。尚、図示しないが、下段カード挿入部２の両内側面部に、カード挿抜方向に向けた挿入溝を設け、この挿入溝に支持板部５１の両側縁部を挿入し、下段カード挿入部２の両内側面部に支持させるようにしてもよい。
【００６２】
この支持板部５１は、そのカード挿入方向奥側端部に奥側縁より下向きに折り曲げた形状であって、コネクタ幅方向に長い細長平板状の下段ストッパー部５７を一体に備え、この下段ストッパー部５７に下段カード挿入部２に挿入されたカードＢの奥側縁が当て止めされ、カード挿入方向の位置決めがされるようになっている。
【００６３】
また、下段ストッパー部５７をカード挿入方向奥側縁より下向きに折り曲げた形状としたことにより、下段ストッパー部５７が補強材の役割を担い、支持板部５１が撓み方向の変形に対する高い剛性を有している。
【００６４】
尚、下段ストッパー部５７の下縁部には、複数の凹み状の切欠き５７ａ，５７ａ...が形成されており、下段コンタクト５，５...及び下段カバー部材８をモールドケース７に組み込む際に互いに干渉しないようになっている。
【００６５】
上段カバー部材９は、図１２に示すように、導電性金属材を打ち抜き・折り曲げ加工することにより形成され、平板状の天板６０と、天板６０の側縁より鉛直下向きに折り曲げた形状の側板６１，６１と、側板６１，６１の下縁より水平内向きに折り曲げた形状の水平差し込み板６２，６２とを一体に備え、モールドケース７の挿抜方向奥側部の外側に嵌り込むようになっている。
【００６６】
天板６０は、コネクタ幅方向に長い矩形平板状であって、モールドケース７の上段部１３上面側を覆う形状に形成され、そのカード挿入方向奥側端部に奥側縁より下向きに折り曲げた形状の上段ストッパー部６３を一体に備えている。
【００６７】
上段ストッパー部６３は、コネクタ幅方向に長い細長平板状に形成され、上段カード挿入凹部１１の奥側開口部に嵌め込まれて当該開口を閉鎖し、この上段ストッパー部６３に上段カード挿入部３に挿入されたカードの奥側縁が当て止めされ、カード挿入方向の位置決めがされるようになっている。
【００６８】
また、この上段ストッパー部６３は、天板６０のカード挿入方向奥側端部に奥側縁より下向きに折り曲げた形状であって、その下縁６３ａが上段底板部３０の上面と当接又は狭小な隙間を介して接する形状に形成されたことにより、上段底板部３０の補強材として機能するようになっている。
【００６９】
また、上段ストッパー部６３と下段ストッパー部５７とは、カード挿入方向位置が略同じ位置に配置され、上段ストッパー部６３と下段ストッパー部５７との間に上段底板部３０が挟持されることにより、上段底板部３０の撓み方向の変形を防止するようになっている。
【００７０】
また、天板６０には、両側部に斜め下向きに切り起こした形状の抜け出し防止バネ片６４，６４を備え、この抜け出し防止バネ片６４が上段側壁部３１，３１の上面部に形成された溝部３１ａの手前側内側縁と互いに係合することにより上段カバー部材９がモールドケース７に抜け出し不能に固定されるようになっている。
【００７１】
両側板６１，６１のカード抜き出し方向側端面は、モールドケース７側面より突出したストッパー凸部７ａに当て止めされ、それにより上段カバー部材９のカード挿抜方向の位置決めがされるようになっている。
【００７２】
更に、両側板６１，６１の奥側縁部には、内向きに折り曲げた形状の当て止め板部６５，６５を備え、上段カバー部材９をモールドケース７に組んだ際に、この当て止め板部６５の内側面に下段ストッパー部５７が当接するようになっている。
【００７３】
当て止め板部６５，６５の下縁部には、水平手前側に折り曲げた形状の接続片部６６，６６を備え、この接続片部６６，６６がモールドケース７の下面部に嵌めこまれ、ハウジング４の下面に露出し、プリント配線基板に形成された接地パターンに半田付けすることによりハウジング４をプリント配線基板に固定できるとともに、上段カバー部材９をグランド接続させることができるようになっている。
【００７４】
水平差し込み板６２，６２は、モールドケース７下面側部に形成された凹み部に嵌り込み、モールドケース７の下面、即ち、ハウジング４の下面に露出し、この水平差込板６２，６２をプリント配線基板に形成された固定パターンに半田付けすることによりハウジング４をプリント配線基板に固定できるようになっている。
【００７５】
このように構成されたカードコネクタ１は、上段カード挿入部３にカードを挿入した際にコンタクト６，６...を介して上段底板部３０に下向きの荷重が作用した場合、上段底板部３０下に支持板部５１が挿入され、支持板部５１に上段底板部３０の下面を支持させているので、上段底板部３０が下向きに撓むのを防止し、各コンタクト６，６...が安定した接触圧でカードＡの信号伝達端子に接触することができるようになっている。
【００７６】
また、下段カバー部材８の支持板部５１及び上板５２が下段カード挿入部２の上側内面部を構成するので、下段カード挿入部２の剛性が高く、カードＢのあおり強度、即ち、カード挿入時におけるカードＢに厚み方向で作用するモーメントに対する強度が向上している。
【００７７】
従って、このカードコネクタ１では、上段底板部３０の厚みを薄く形成しても、十分な強度を確保することができるので、上段カード挿入部３と下段カード挿入部２とをカード挿入方向奥側位置を揃えた多段配置に形成することができ、コネクタの奥行（カード挿抜方向）長さを短くすることができ、コネクタの小型化・低背化を図ることができる。
【００７８】
また、下段シールド部材８を接地させることにより、支持板部５１によって上段カード挿入部３と下段カード挿入部２との間が好適に遮蔽されて高いシールド効果が得られる。
【００７９】
また、このカードコネクタ１は、カードＡ，Ｂの奥側縁部が当て止めされるストッパー部５７，６３を金属製のカバー部材８，９に一体に備えたことにより、薄くとも十分な強度を確保でき、その分、カード挿入部の奥行を短くすることができる。
【００８０】
更には、上段ストッパー部６３と下段ストッパー部５７との間に上段底板部３０が挟持されることにより、リフロー等の加熱による上段底板部３０の反りを抑制することができ、コプラナリティの安定化を図ることができる。
【００８１】
尚、本発明に係るカードコネクタ１において、図１３、図１４に示すように、下段カバー部材８は、支持板部５１のカード挿入方向手前側部に上段底板部３０の手前側縁部と係合する係合片７０を一体に備えてもよい。尚、上述の実施例と同様の構成には同一符号を付して説明を省略する。
【００８２】
この係合片７０は、上板５２を構成する金属板を切り起こし加工することにより形成され、上板５２より鉛直上向きに立ち上げた立ち上げ部７０ａと、立ち上げ部７０ａの上縁より水平奥側に折り曲げた形状の係止部７０ｂとをもって構成されている。
【００８３】
そして、この係合片７０が上段底板部３０の手前側縁部と係合することにより、支持板部５１の手前側部分を上段底板部３０と一体化させることができ、上段手底板部３０の剛性を高めることができる。
【００８４】
尚、上述の実施例では、カード挿入部を上下２段に備えた例について説明したが、複数のカード挿入部を３段以上の多段配置に備えることもできる。
【符号の説明】
【００８５】
Ａ  カード
Ｂ  カード
１  カードコネクタ
２  下段カード挿入部
３  上段カード挿入部
４  ハウジング
５  下段コンタクト
６  上段コンタクト
７  モールドケース
８  下段カバー部材
９  上段カバー部材
１０  下段カード挿入凹部
１１  上段カード挿入凹部
１２  下段部
１３  上段部
１４  下段底板部
１５  下段側壁部
１６  下段コンタクト挿入溝
１７  圧入溝
２０  基部
２１  弾性接触片部
２２  接続端子片部
２３  延出片
２４  圧入片
２５  変形規制片部
３０  上段底板部
３１  上段側壁部
３２  誘導傾斜部
３３  上段コンタクト挿入溝
３４  圧入穴
４０  基部
４１  弾性接触片部
４２  接続端子片部
５０  カバー本体部
５１  支持板部
５２  上板
５３  側板
５４  接続片部
５５  カード支持部
５６  抜け出し防止バネ片
５７  下段ストッパー部
６０  天板
６１  側板
６２  水平差し込み板
６３  上段ストッパー部
６４  抜け出し防止バネ片
６５  当て止め板部
６６  接続片部
【図１】
2014007095.tif 000003
【図２】
2014007095.tif 000004
【図３】
2014007095.tif 000005
【図４】
2014007095.tif 000006
【図５】
2014007095.tif 000007
【図６】
2014007095.tif 000008
【図７】
2014007095.tif 000009
【図８】
2014007095.tif 000010
【図９】
2014007095.tif 000011
【図１０】
2014007095.tif 000012
【図１１】
2014007095.tif 000013
【図１２】
2014007095.tif 000014
【図１３】
2014007095.tif 000015
【図１４】
2014007095.tif 000016